(57)【要約】      （修正有）【課題】落下衝撃を受けてもリーダピンの脱落がおきず、リーダピンのせり上がりを防いでばね腕の変形を防ぎ、データの記録再生において高い信頼性をもつテープカートリッジを提供する。【解決手段】本体ケース内に一つのリールと、リーダピンを引き出し操作するテープ引出口４が開口している記録テープカートリッジであって、本体ケースにはリーダピンを起立姿勢で保持する保持機構６が設けてあり、保持機構６のばね腕先端部６３はリーダピンの軸部よりも本体ケースの厚み方向中心方向へ突出している。【選択図】図３
2008234802.tif 000002
【特許請求の範囲】
【請求項１】
箱状のケース本体１の内部に、テープ３を巻装した１個のリール２が配置されており、テープ３の繰り出し端にピン状のテープ引出具（リーダピン）５が連結してあり、リーダピン５を起立姿勢で保持する保持機構６が設けてあり、
ケース本体１の周側壁に、リーダピン５を引き出し操作するテープ引出口４が開口している記録テープカートリッジであって、
リーダピン５は上下両端のそれぞれに、保持機構６で係合保持される円柱状の軸部１０と、テープドライブ側の捕捉機構で掛止捕捉される軸部１０よりも直径の小さい円柱状の掛止軸部１１とを有し、
保持機構６は少なくともばね腕６３、ばね腕先端部６４を有する板ばね６２を有し、
ばね腕先端部は軸部１０よりも本体ケースの厚み方向中心方向へ突出していることを特徴とする、記録テープカートリッジ。
【発明の詳細な説明】
【技術分野】
【０００１】
本発明は、記録テープを巻装した単一のリールがカートリッジケース内に回転可能に収容された記録テープカートリッジに関し、特に、記録テープを引き出すために記録テープの先端部に固着されたリーダピンが保持機構によりカートリッジケース内に着脱可能に保持される記録テープカートリッジにおける上記保持機構の構造に関するものである。
【背景技術】
【０００２】
従来、コンピュータメモリのバックアップ用の記録媒体として使用されている記録テープカートリッジには、単一のリールに記録テープを巻装し、このリールを、互いに結合された四角形の上ハーフと下ハーフとからなる偏平なカートリッジケース内に回転可能に収容したものが知られている。記録テープを引き出すために記録テープの先端部にリーダピンが保持機構によりカートリッジケース内に着脱可能に保持されており、テープドライブ側の捕捉具がこのリーダピンを補足して、ケース内から記録テープを引き出し操作する。
【０００３】
リーダピンの形状として、例えば特許文献１の図４のような形状が提案され、保持機構の形状としては例えば特許文献２の図４のような形状が提案されている。
【０００４】
【特許文献１】特開平１１−２３２８２６号公報
【特許文献２】特開２０００−３３９９１２号公報
【発明の開示】
【発明が解決しようとする課題】
【０００５】
前述したように、コンピュータメモリのバックアップ用の記録媒体は、重要な情報を保存する時に用いられることが多く、記録再生において高い信頼性が求められる。そのため、リーダピンの引き出し時にドライブ側の捕捉具が捕捉失敗することや、何らかの衝撃がカートリッジに与えられた場合にもリーダピンが倒れないことは、重要な課題である。
【０００６】
特許文献１や２にもリーダピンの正確な位置決めや、落下衝撃によるリーダピンの脱落等の問題は挙げられている。しかしながら、特許文献２の図４のような保持機構の一部が板バネの場合、リーダピンの寸法形状に合わせた板バネの寸法についてはなんら開示がなく、最適化された保持機構については従来議論がなされていない。特に、板ばねのばね腕の変形を引き起こしかねないリーダピンのせり上がりは、重要な課題となっている。
【課題を解決するための手段】
【０００７】
本発明は上述の事情に鑑み、以下のようなテープカートリッジを提供する。すなわち、箱状のケース本体１の内部に、テープ３を巻装した１個のリール２が配置されており、テープ３の繰り出し端にピン状のテープ引出具（リーダピン）５が連結してあり、
ケース本体１の周側壁に、リーダピン５を引き出し操作するテープ引出口４が開口している記録テープカートリッジであって、
リーダピン５は上下両端のそれぞれに、保持機構６で係合保持される円柱状の軸部１０と、テープドライブ側の捕捉機構で掛止捕捉される軸部１０よりも直径の小さい円柱状の掛止軸部１１とを有し、
本体ケース１にはリーダピン５を起立姿勢で保持する保持機構６が設けてあり、
保持機構６は少なくともばね腕６３、ばね腕先端部６４を有する板ばね６２を有し、
ばね腕先端部は軸部１０よりも本体ケースの厚み方向中心方向へ突出していることを特徴とする、記録テープカートリッジを提供する。
【発明の効果】
【０００８】
本発明によれば、落下衝撃を受けてもリーダピンの脱落がおきず、リーダピンのせり上がりを防いでばね腕の変形を防ぎ、データの記録再生において高い信頼性をもつテープカートリッジを提供することができる。
【発明を実施するための最良の形態】
【０００９】
図１ないし図３は本発明に係る単リール型のテープカートリッジの実施例を示す。図１、２においてテープカートリッジは、上ケース１ａと下ケース１ｂとで構成される角箱状のケース本体１を有し、その内部に配置したひとつのリール２にテープ３が巻装してある。ケース本体１の前隅の前面にテープ引出口４を開口し、その内面内方において、テープ３の繰り出し端に連結したリーダピン５を保持機構６で待機姿勢に保持できるようになっている。テープ引出口４は、ケース本体１の前壁に沿って左右方向にスライドするドア９で開閉できる。ドア９は図外のばねで閉じ勝手に移動付勢してある。
【００１０】
図２においてリーダピン５は、ステンレス製の旋削加工品からなり、上下両端のそれぞれに、先の保持機構６で係合保持される軸部１０と、テープドライブ側の捕捉機構で掛止捕捉される掛止軸部１１とを有し、上下の掛止軸部１１・１１間の軸周面に、テープ３の端が緩衝体を介してクランプ１２で連結してある。不使用時のリーダピン５を、位置決めし起立姿勢で保持固定するために、上ケース１ａの上壁内面と、下ケース１ｂの底壁内面とには、それぞれ保持機構６が設けられている。
【００１１】
図２および図３において保持機構６は、ケース内面に膨出形成した軸受部６１と、軸受部６１と協同してリーダピン５の軸部１０の周面を挟み保持する板ばね６２とからなり、板ばね６２のばね腕６３ばね腕先端部６４が変形することによってリーダピン５を出し入れ操作できる。板ばね６２はケース内面に溶着固定してある。
【００１２】
本願発明は、図２のようにばね腕先端部６４が本体ケース厚み方向中心へ向かって、軸部１０よりも突出している。この構成により、リーダピンが上部にせりあがることを防ぎ、ばね腕の変形を防止する。
【００１３】
ばね腕先端部６４は、軸部１０のケース厚み方向の寸法が、0.80ｍｍであるとき、ばね腕先端部６４の寸法は1.1〜1.4ｍｍであることが好ましい。この範囲であれば、リーダピンを起立姿勢で保持するのに十分な力を発揮し、尚且つドライブ側の不安定動作やテープ側のたるみによるチャッキングミスを防止することが出来る。
【００１４】
また、図２のように、ばね腕先端部６４はケース１に接触しないことが好ましい。そうすることで、リーダテープ捕捉等にケース１とばね腕先端部６４が擦れてしまうことにより発生する粉が記録テープに付着してエラーを引き起こすことを防止することが出来る。
【００１５】
図３は下ケース１ｂを例にとっているが、上ケース１aについても同様なので、省略する。
【００１６】
本願発明は、上記されたものに限られず、例えばばね腕６３もばね腕先端部６４と同じ幅寸法であっても良い。
【図面の簡単な説明】
【００１７】
【図１】本発明のカートリッジ横断平面図である。
【図２】本発明のカートリッジの引出口周辺の正面図である。
【図３】本発明のカートリッジのリーダピン保持機構の斜視図である。
【符号の説明】
【００１８】
１    ケース本体
２    リール
３    テープ
４    引出口
５    リーダピン
６    保持機構
６１    板ばね
６２    ばね腕
６３    ばね腕先端部
１０    軸部
【図１】
2008234802.tif 000003
【図２】
2008234802.tif 000004
【図３】
2008234802.tif 000005